(57)【要約】【課題】アンテナコイルの送受信を阻害することなく所望する重量感を確保することができるＩＣコインを提供することである。【解決手段】アンテナコイル２１と、該アンテナコイル２１と電気的に接続されたＩＣチップ２２とを有するＩＣタグ２０またはＩＣフィルム５０を高比重材３０でインサート成形してなる成形品を、さらに樹脂材料４０でインサート成形してなる。【選択図】図１
2007310696.tif 000002
【特許請求の範囲】
【請求項１】
アンテナコイルと、該アンテナコイルと電気的に接続されたＩＣチップとを有するＩＣタグまたはＩＣフィルムを高比重材でインサート成形してなる成形品を、さらに樹脂材料でインサート成形してなるＩＣコイン。
【発明の詳細な説明】
【技術分野】
【０００１】
本発明は、ＩＣコインに関し、詳しくは、アンテナコイルと、該アンテナコイルと電気的に接続されたＩＣチップとを有するＩＣタグまたはＩＣフィルムをインサート成形してなるＩＣコインに関する。
【背景技術】
【０００２】
この種のＩＣコインとして、例えば、遊技場（パチンコ店、ゲームセンター等）で使用されるサイクルコインが既に知られている。通常、遊技者は遊技場に入店し所望する遊技台（例えば、パチンコ機）の椅子に着座すると、まず、遊技台に隣接された玉貸し機に現金を投入して遊技媒体（パチンコ玉）を借り受けなければいけなかった。この玉貸し機は、高額紙幣（５千円札、１万円札）を受け付けていないため、遊技者は、高額紙幣しか所持していなければ、予め遊技場内に設置された両替機で高額紙幣を小額紙幣（千円札）に両替しておかなければならなかった。また、遊技者は、両替した小額紙幣を使い切った場合でも遊技の継続を希望すると、再度、両替機で高額紙幣を小額紙幣に両替しなければならなかった。そのため、遊技者によっては、複数回の両替作業が必要となることもあるため、両替作業は遊技者にとって煩わしい作業となっていた。また、遊技者が両替作業している間の時間は、遊技台の稼働率の低下となるため遊技場にとって問題となっていた。この問題を解決するために、高額紙幣を投入可能な玉貸し機が開発されたが、コスト低減の観点から、お釣りは紙幣で戻されることなくサイクルコインとして戻されていた。例えば、遊技者は１万円を玉貸し機に投入して、その中から７千円相当の遊技媒体を借り受けた後に精算した場合、玉貸し機は遊技者に対して１枚が３千円相当であるＩＣコインを１枚払い戻していた。そして、遊技者は遊技場内に設置された精算機でサイクルコインを紙幣に換金することとなっていた。
【０００３】
なお、この出願の発明に関連する先行技術文献情報としては、例えば、特許文献１が知られている。
【特許文献１】特開２００３−３４６２２５号公報
【発明の開示】
【発明が解決しようとする課題】
【０００４】
上述したサイクルコインは、アンテナコイルと、該アンテナコイルと電気的に接続されたＩＣチップとを有するＩＣタグを樹脂材料でインサート成形することで製造されていた。そのため、遊技者がサイクルコインを手にした場合、その重量感が不足していると、サイクルコインは紙幣の代替えとして用いられていることから、コインとしての価値観が低下するという問題が生じていた。この問題を解決するために、ＩＣタグをインサートする際に併せて金属片等もインサートすることで、求められる重量感に応えていた。しかしながら、ＩＣコインの内部に金属片をインサートすると、アンテナコイルの送受信を阻害してしまうことがあり、精算機におけるトラブルの原因となっていた。
【０００５】
本発明は、このような課題を解決しようとするもので、その目的は、アンテナコイルの送受信を阻害することなく所望する重量感を確保することができるＩＣコインを提供することである。
【課題を解決するための手段】
【０００６】
本発明は、上記の目的を達成するためのものであって、以下のように構成されている。
請求項１に記載の発明は、アンテナコイルと、該アンテナコイルと電気的に接続されたＩＣチップとを有するＩＣタグまたはＩＣフィルムを高比重材でインサート成形してなる成形品を、さらに樹脂材料でインサート成形してなるＩＣコインである。
高比重材として、ナイロン系の樹脂材料に金属の粉体を混ぜ合わせたものを使用するため、アンテナコイルの送受信を阻害することなく所望する重量感を確保することができる。
【発明を実施するための最良の形態】
【０００７】
以下、本発明を実施するための最良の形態を、図面を用いて説明する。
（実施例１）
まず、図１によって実施例１を説明する。図１は、ＩＣコイン１の全体斜視図であり、その一部を切り欠いた状態で表している。このＩＣコイン１は、ＩＣタグ２０を高比重材３０でインサート成形してなる成形品を、さらに樹脂材料４０でインサート成形することでＩＣタグ２０、高比重材３０および樹脂材料４０を一体化して構成されている。また、その形状は、コインとしての価値が認められる外観形状と適当な重量感とを備えている。
【０００８】
ＩＣタグ２０は公知のものであり、アンテナコイル２１と、アンテナコイル２１と電気的に接続されたＩＣチップ２２とを備えている。このアンテナコイル２１は、精算機と非接触で所定の信号の送受信が可能となっている。また、ＩＣチップ２２には、金額情報（例えば、千円）を記憶可能な記憶手段を有しており、ＩＣチップ２２は精算機からアンテナコイル２１を介して所定の信号を受信すると、アンテナコイル２１を介して記憶してある金額情報を精算機へ送信する構成となっている。なお、このＩＣタグ２０は、アンテナコイル２１で発生した起電力でＩＣチップ２２に必要な電力を供給する電源構成となっている。
【０００９】
このように構成されたＩＣタグ２０を円板状のキャビティを有する第１金型（図示しない）内に配置させて高比重材３０によって射出成形（インサート成形）させ、その後、冷却硬化させて１次成形品を製造する。この高比重材３０とは、ナイロン系の樹脂材料（例えば、ナイロン６、ナイロン６６、ナイロン１２など）４０に金属（例えば、タングステン、鉄、銅など）の粉体を混ぜ合わせたものである。一例として、ナイロン６にタングステンを９０％混ぜ合わせた樹脂材料である。このようにして製造された１次成形品のＩＣタグ２０を除くサイズおよび重量は、例えば外径は２５．６ｍｍであり、内径は１０．２ｍｍであり、厚みは１ｍｍであり、重量は５．２ｇである。また、汎用金属の粉体を使用しているため、簡便に製造することができる。
【００１０】
このよう１次成形品を、所望するコインの外形と対応したキャビティを有する第２金型（図示しない）内に配置させて１次成形品の全体を被覆するように樹脂材料４０によって射出成形（インサート成形）させ、その後、冷却硬化させてＩＣコイン１を製造する。この樹脂材料４０とは、上述したナイロン系の樹脂材料４０である。このようにインサート成形を２度実施することで、ＩＣコイン１が製造される。このようにして製造されたＩＣコイン１のサイズおよび重量は、例えば外径は３２ｍｍであり、厚みは２ｍｍであり、重量は５．５ｇである。
【００１１】
上述したＩＣコイン１によれば、インサート成形のみによって成形されるため、貼り合せ工程は不要であるため、簡便な構成でＩＣコイン１を製造することができる。また、高比重材３０において、金属は粉体形状であり該粉体同士は接触していないため、高比重材３０は「１Ω・ｃｍ」以上の電気的特性を示すことはない。これにより、アンテナコイル２１の送受信を阻害してしまうことはない。
【００１２】
（実施例２）
続いて、図２によって実施例２を説明する。図２は、ＩＣコイン１１の全体斜視図であり、その一部を切り欠いた状態で表している。このＩＣコイン１１は、実施例１で説明したＩＣコイン１と比較すると、ＩＣタグ２０を公知のＩＣフィルム５０に代替えしたものである。そのため、このＩＣフィルム５０は、ＩＣタグ２０と同様に、アンテナコイル５１と、アンテナコイル５１と電気的に接続されたＩＣチップ５２とを備えている。なお、以下の説明にあたって、実施例１と同一部材もしくは同一作用を果たす部材には、同一符号をふすことで、詳細の説明は省略する。
【００１３】
図２からも明らかなように、このＩＣコイン１１は、ＩＣフィルム５０を高比重材３０でインサート成形してなる成形品を、さらに樹脂材料４０でインサート成形することでＩＣフィルム５０、高比重材３０および樹脂材料４０を一体化して構成されている。そのため、ＩＣコイン１１から、ＩＣコイン１と同様の作用効果を得ることができる。
【００１４】
上述した内容は、あくまでも本発明の一実施の形態に関するものであって、本発明が上記内容に限定されることを意味するものではない。
各実施例では、ＩＣコイン１、１１の外形を円板状である場合を例に説明した。しかし、これに限定されるものでなく、ＩＣコイン１、１１の外形は三角板状または四角板状であっても構わない。
【図面の簡単な説明】
【００１５】
【図１】図１は、ＩＣコイン１の全体斜視図であり、その一部を切り欠いた状態で表している（実施例１）。
【図２】図２は、ＩＣコイン１１の全体斜視図であり、その一部を切り欠いた状態で表している（実施例２）。
【符号の説明】
【００１６】
１    ＩＣコイン（実施例１）
１１  ＩＣコイン（実施例２）
２０  ＩＣタグ
２１  アンテナコイル
２２  ＩＣチップ
３０  高比重材
４０  樹脂材料
５０  ＩＣフィルム
【図１】
2007310696.tif 000003
【図２】
2007310696.tif 000004